(57)【特許請求の範囲】
【請求項１】
放射性物質を収納する放射性物質収納容器の表面に被取付部材を取り付けるための取付治具であって、
前記表面は、磁性体からなる部分を有し、
前記表面の前記磁性体からなる部分に磁力により固定される磁石であって、前記表面と対向する面に窪みを有する磁石と、
前記磁石に対して固定され、前記被取付部材を保持するための保持空間が形成された空間形成部材と、を備え、
前記保持空間は、前記空間形成部材における前記表面と対向する面に形成された凹部であり、
前記空間形成部材は、前記窪みの中に配置されており、且つ、前記表面と対向する面において前記凹部が形成されていない領域が前記表面と接触し、前記凹部と前記表面とで画定される空間に前記被取付部材を保持するように構成されていることを特徴とする、取付治具。
【請求項２】
前記磁石に、螺子孔が形成されており、
前記空間形成部材を前記表面に向けて押圧する押圧部材であって、前記螺子孔に螺合する螺合部と、前記螺合部よりも前記表面の近くにおいて前記空間形成部材における前記表面と対向する面とは反対側の面と接触する端部とを有する押圧部材をさらに備えたことを特徴とする、請求項１に記載の取付治具。
【請求項３】
前記押圧部材における前記螺合部と前記端部との間に設けられ、前記空間形成部材を前記表面に向けて付勢する付勢部材をさらに備えたことを特徴とする、請求項２に記載の取付治具。
【請求項４】
前記表面と直交する方向に延在する前記磁石の中心線に関して、前記磁石における前記表面に固定された領域、及び、前記空間形成部材における前記表面と接触する領域が、それぞれ対称に配置されていることを特徴とする、請求項１〜３のいずれか１項に記載の取付治具。
【請求項５】
前記磁石の磁極の向きを反転させる磁極反転機構をさらに備えたことを特徴とする、請求項１〜４のいずれか１項に記載の取付治具。
【請求項６】
放射性物質を収納する放射性物質収納容器の表面に被取付部材を取り付けるための取付方法であって、
前記表面と対向する面に窪みを有する磁石と、前記被取付部材を保持するための保持空間が形成された空間形成部材と、を備えた取付治具を用い、
前記空間形成部材における前記表面と対向する面に形成された前記保持空間としての凹部に前記被取付部材を保持させつつ、且つ、前記空間形成部材を前記磁石が覆うように前記窪みの中に前記空間形成部材を配置しつつ、前記磁石に対して前記空間形成部材を固定するとともに、前記表面における磁性体からなる部分に前記磁石を磁力により固定して、前記表面と対向する面において前記凹部が形成されていない前記空間形成部材の領域を前記表面と接触させ、前記凹部と前記表面とで画定される空間に前記被取付部材を保持することを特徴とする、取付方法。
【請求項７】
放射性物質を収納する放射性物質収納容器と、
前記放射性物質収納容器の、磁性体からなる部分を有する表面に取り付けられた被取付部材と、
前記表面に前記被取付部材を取り付けるための請求項１〜５のいずれか１項に記載の取付治具と、
を備えた放射性物質収納容器ユニット。
【発明の詳細な説明】
【技術分野】
【０００１】
本発明は、放射性物質収納容器の表面に被取付部材を取り付けるための取付治具及び取付方法、並びに、放射性物質収納容器と被取付部材と取付治具とを含む放射性物質収納容器ユニットに関する。
【背景技術】
【０００２】
特許文献１には、温度センサを放射性物質収納容器の表面に取り付け、当該温度センサにより放射性物質収納容器の表面の温度を測定し、測定された温度に基づいてキャニスタの密封性の異常を判断する技術が開示されている。
【先行技術文献】
【特許文献】
【０００３】
【特許文献１】特開２００５−３０８４１９号公報
【発明の概要】
【発明が解決しようとする課題】
【０００４】
特許文献１には、温度センサ（被取付部材）を放射性物質収納容器の表面に取り付けるための具体的な手段（取付治具や取付方法）が示されていない。取付治具や取付方法によっては、以下のような問題が生じ得る。
【０００５】
例えば、ボルトを用いて被取付部材を取り付ける場合、放射性物質収納容器の表面にボルト穴を設ける必要が生じ得る。また、溶接により、取付治具を放射性物質収納容器の表面に固定し、取付治具と放射性物質収納容器の表面との間に被取付部材を保持させるという構成も考えられる。しかしながら、放射性物質収納容器の表面は、放射性物質による汚染を極力除去し易い状態にしておく必要があり、当該表面にボルト穴を設けたり溶接を行ったりするのは、不適である。
【０００６】
粘着テープを用いて被取付部材を取り付ける場合、放射性物質収納容器の温度の影響や放射線の影響によって粘着テープが劣化し易く、放射性物質収納容器の表面への被取付部材の保持を長期に亘って維持するのが困難である。
【０００７】
本発明の目的は、放射性物質収納容器の表面にボルト穴を設けたり溶接を行ったりする必要がなく、温度や放射線による取付治具の劣化を抑制し、放射性物質収納容器の表面への被取付部材の保持を長期に亘って維持することが可能な、放射性物質収納容器の表面に被取付部材を取り付けるための取付治具及び取付方法、並びに、放射性物質収納容器と被取付部材と取付治具とを含む放射性物質収納容器ユニットを提供することである。
【課題を解決するための手段】
【０００８】
本発明の第１観点によると、放射性物質を収納する放射性物質収納容器の表面に被取付部材を取り付けるための取付治具であって、前記表面は、磁性体からなる部分を有し、前記表面の前記磁性体からなる部分に磁力により固定される磁石と、前記被取付部材を保持するための保持空間とを備えたことを特徴とする、取付治具が提供される。
【０００９】
本発明の第２観点によると、放射性物質を収納する放射性物質収納容器の表面に被取付部材を取り付けるための取付方法であって、磁石と前記被取付部材を保持するための保持空間とを備えた取付治具を用い、前記保持空間に前記被取付部材を保持させつつ、前記表面における磁性体からなる部分に前記磁石を磁力により固定することを特徴とする、取付方法が提供される。
【００１０】
本発明の第３観点によると、放射性物質を収納する放射性物質収納容器と、前記放射性物質収納容器の表面に取り付けられた被取付部材と、前記表面に前記被取付部材を取り付けるための取付治具とを備えた放射性物質収納容器ユニットであって、前記表面は、磁性体からなる部分を有し、前記取付治具は、前記表面の前記磁性体からなる部分に磁力により固定される磁石と、前記被取付部材を保持するための保持空間とを有することを特徴とする、放射性物質収納容器ユニットが提供される。
【００１１】
本発明において、「磁性体」とは、磁石により吸引可能な材料をいう。
【００１２】
上記第１〜第３観点によれば、保持空間に被取付部材を保持させつつ、放射性物質収納容器の表面における磁性体からなる部分に磁石を磁力により固定するという構成を採用したことで、放射性物質収納容器の表面にボルト穴を設けたり溶接を行ったりする必要がない。また、粘着テープを用いないため、温度や放射線による取付治具の劣化を抑制することができ、放射性物質収納容器の表面への被取付部材の保持を長期に亘って維持することが可能である。
【００１３】
本発明に係る取付治具は、前記磁石に対して固定され、前記保持空間が形成された空間形成部材をさらに備えてよい。当該構成によれば、磁石とは別の部材に保持空間を形成したことで、磁石に保持空間を形成した場合に生じ得る放射性物質収納容器の表面に対する磁石の固定強度の低下を回避することができる。
【００１４】
本発明に係る取付治具において、前記保持空間は、前記空間形成部材における前記表面と対向する面に形成された凹部であり、前記空間形成部材は、前記表面と対向する面において前記凹部が形成されていない領域が前記表面と接触し、前記凹部と前記表面とで画定される空間に前記被取付部材を保持するように構成されてよい。被取付部材を確実に保持するため、凹部の寸法を被取付部材の寸法よりも若干小さくすることが考えられる。磁石に凹部が形成されている場合に、凹部の寸法を被取付部材の寸法よりも若干小さくすると、磁石が放射性物質収納容器の表面から浮き上がり、放射性物質収納容器の表面に対する磁石の固定強度が低下し得る。これに対し、磁石とは別の空間形成部材に凹部が形成されていれば、凹部の寸法を被取付部材の寸法よりも若干小さくしたとしても、磁石が放射性物質収納容器の表面から浮き上がることは抑制できる。したがって、上記構成によれば、放射性物質収納容器の表面に対する磁石の固定強度の低下を回避しつつ、被取付部材を確実に保持することができる。
【００１５】
本発明に係る取付治具は、前記磁石と前記磁石に対して固定された固定部材とのいずれか一方に、螺子孔が形成されており、前記空間形成部材を前記表面に向けて押圧する押圧部材であって、前記螺子孔に螺合する螺合部と、前記螺合部よりも前記表面の近くにおいて前記空間形成部材における前記表面と対向する面とは反対側の面と接触する端部とを有する押圧部材をさらに備えてよい。当該構成によれば、押圧部材によって空間形成部材を押圧することで、空間形成部材の凹部に被取付部材をより確実に保持することができる。
【００１６】
本発明に係る取付治具は、前記押圧部材における前記螺合部と前記端部との間に設けられ、前記空間形成部材を前記表面に向けて付勢する付勢部材をさらに備えてよい。当該構成によれば、押圧部材による押圧力が緩んだ場合でも、付勢部材によって空間形成部材を付勢することで、空間形成部材の凹部に被取付部材をより確実に保持することができる。
【００１７】
本発明に係る取付治具において、前記磁石は、前記表面と対向する面に窪みを有し、前記空間形成部材は、前記窪みの中に配置されてよい。
【００１８】
さらに、本発明に係る取付治具において、前記表面と直交する方向に延在する前記磁石の中心線に関して、前記磁石における前記表面に固定された領域、及び、前記空間形成部材における前記表面と接触する領域が、それぞれ対称に配置されてよい。当該構成によれば、バランスよく力が作用し、放射性物質収納容器の表面に対する磁石の固定、及び、空間形成部材による被取付部材の保持を、共に確実に実現することができる。
【００１９】
前記空間形成部材は、前記磁石における前記表面と対向する面とは反対側の面に配置されており、前記保持空間は、前記空間形成部材の内部に形成された空洞であってよい。
【００２０】
前記保持空間は、前記磁石における前記表面と対向する面に形成された凹部であってよい。当該構成によれば、磁石に保持空間を形成したことで、保持空間が形成された空間形成部材を別途設ける必要がなく、構成を簡素化することができる。
【００２１】
本発明に係る取付治具は、前記磁石の磁極の向きを反転させる磁極反転機構をさらに備えてよい。当該構成によれば、放射性物質収納容器の表面に対する磁石の着脱を容易に行うことができる。
【発明の効果】
【００２２】
本発明によれば、保持空間に被取付部材を保持させつつ、放射性物質収納容器の表面における磁性体からなる部分に磁石を磁力により固定するという構成を採用したことで、放射性物質収納容器の表面にボルト穴を設けたり溶接を行ったりする必要がない。また、粘着テープを用いないため、温度や放射線による取付治具の劣化を抑制することができ、放射性物質収納容器の表面への被取付部材の保持を長期に亘って維持することが可能である。
【図面の簡単な説明】
【００２３】
【図１】本発明の第１実施形態に係る放射性物質収納容器ユニットを示す斜視図である。
【図２】（ａ）は、図１のＩＩＡ方向から見た本発明の第１実施形態に係る取付治具を示す概略図である。（ｂ）は、図２（ａ）のＩＩＢ−ＩＩＢ線に沿った断面図である。
【図３】（ａ）は、本発明の第２実施形態に係る取付治具を示す、図２（ａ）に対応する概略図である。（ｂ）は、図３（ａ）のＩＩＩＢ−ＩＩＩＢ線に沿った断面図である。
【図４】（ａ）は、本発明の第３実施形態に係る取付治具を示す、図２（ａ）に対応する概略図である。（ｂ）は、図４（ａ）のＩＶＢ−ＩＶＢ線に沿った断面図である。
【図５】（ａ）は、本発明の第４実施形態に係る取付治具を示す、図２（ａ）に対応する概略図である。（ｂ）は、図５（ａ）のＶＢ−ＶＢ線に沿った断面図である。
【発明を実施するための形態】
【００２４】
本発明の第１実施形態に係る放射性物質収納容器ユニット１は、図１に示すように、使用済燃料１３ｘを収納する放射性物質収納容器（以下、単に「容器」という。）１ｘと、容器１ｘの表面に取り付けられた温度センサ１００と、容器１ｘの表面に温度センサ１００を取り付けるための取付治具５０とを有する。使用済燃料１３ｘは、本発明に係る「放射性物質」の一例である。放射性物質収納容器ユニット１は、例えば、使用済燃料１３ｘの貯蔵、輸送等に用いられてよい。
【００２５】
容器１ｘは、上部が開口した有底円筒部１０、及び、有底円筒部１０の上部開口を閉塞する蓋２０を含む。
【００２６】
有底円筒部１０は、内筒１１及び外筒１２を有する。内筒１１は、上部が開口した有底円筒形状を有する。外筒１２は、円筒形状を有する。外筒１２は、内筒１１の外側に、内筒１１から離隔して設けられている。内筒１１の内部には、使用済燃料１３ｘを収容したバスケット１３が配置されている。内筒１１と外筒１２との間には、樹脂やゴム等からなる中性子遮蔽体１５が設けられている。中性子遮蔽材１５の中には、使用済燃料１３ｘの崩壊熱を除熱するべく、内筒１１から外筒１２に伝熱するための銅からなる伝熱部材１５ｘが設けられている。外筒１２の側面１２ａには、上部及び底部それぞれの近傍において、周方向に所定の間隔をなして、複数のトラニオン１７が設けられている。トラニオン１７は、放射性物質収納容器ユニット１を移動させる際に移送用クレーン等によって把持される。
【００２７】
蓋２０は、内筒１１の上部開口を閉塞する一次蓋２１、及び、一次蓋２１の上方に設けられた二次蓋２２を有する。
【００２８】
容器１ｘの各部材（即ち、有底円筒部１０を構成する内筒１１及び外筒１２、並びに、蓋２０を構成する一次蓋２１及び二次蓋２２）は、炭素鋼からなる。炭素鋼は、本発明に係る「磁性体」の一例である。本実施形態において、容器１ｘの表面は全ての部分が磁性体からなる。
【００２９】
温度センサ１００は、本発明に係る「被取付部材」の一例であり、側面１２ａにおける高さ方向略中央部（容器１ｘの表面において最も高温になる部分）１２ａｘに取り付けられている。側面１２ａは、本発明に係る「放射性物質収納容器の表面」の一例である。温度センサ１００は、熱電対からなり、容器１ｘの除熱機能や未臨界維持機能の健全性を監視するため、放射性物質の貯蔵期間中における容器１ｘの表面温度を連続的（定期的）に監視するのに用いられる。
【００３０】
取付治具５０は、図２（ａ），（ｂ）に示すように、磁石５１、空間形成部材５２、ボルト５３、コイルばね５４、及び、一対の磁極反転機構５９を有する。
【００３１】
磁石５１は、略直方体形状を有する。磁石５１の下面（側面１２ａと対向する面）５１ｂには、窪み５１ｘが形成されている。窪み５１ｘは、温度センサ１００の延在方向に沿って、磁石５１を貫通している。磁石５１の下面５１ｂは、窪み５１ｘが形成されていない領域が、磁力により側面１２ａに固定されている。また、磁石５１には、側面１２ａと平行な平面における中心部に、螺子孔５１ｙが形成されている。螺子孔５１ｙは、磁石５１の上面（側面１２ａと対向する面とは反対側の面）５１ａから窪み５１ｘに至るまで、側面１２ａと直交する方向に延在している。窪み５１ｘは、螺子孔５１ｙを介して、磁石５１の外部と連通している。磁石５１としては、永久磁石及び電磁石のいずれを用いてもよい。
【００３２】
空間形成部材５２は、略直方体形状を有する。空間形成部材５２の下面（側面１２ａと対向する面）５２ｂには、温度センサ１００を保持するための凹部５２ｘが形成されている。空間形成部材５２の下面５２ｂは、凹部５２ｘが形成されていない領域が、側面１２ａと接触している。凹部５２ｘは、側面１２ａによって閉塞されている。空間形成部材５２は、凹部５２ｘと側面１２ａとで画定される空間に温度センサ１００を保持するように構成されている。空間形成部材５２は、磁石５１の窪み５１ｘの中に配置されており、ボルト５３を介して磁石５１に対して固定されている。
【００３３】
図２（ｂ）に示すように、側面１２ａと直交する方向に延在する磁石５１の中心線Ｏに関して、磁石５１における側面１２ａに固定された領域、及び、空間形成部材５２における側面１２ａと接触する領域は、それぞれ対称に配置されている。
【００３４】
ボルト５３は、本発明に係る「押圧部材」の一例であり、空間形成部材５２を側面１２ａに向けて押圧する。ボルト５３は、螺子孔５１ｙに貫挿された円柱状の螺子部５３ｔを有する。螺子部５３ｔは、周面全体に螺子溝が形成されており、螺子孔５１ｙに螺合する螺合部５３ｔａと、螺合部５３ｔａよりも側面１２ａの近くにおいて空間形成部材５２の上面（側面１２ａと対向する面とは反対側の面）５２ａと接触する端部５３ｔｂとを有する。
【００３５】
コイルばね５４は、本発明に係る「付勢部材」の一例であり、ボルト５３における螺合部５３ｔａと端部５３ｔｂとの間に設けられ、空間形成部材５２を側面１２ａに向けて付勢する。コイルばね５４は、螺子部５３ｔにおける螺合部５３ｔａよりも下方の部分の周面に巻回されている。
【００３６】
一対の磁極反転機構５９は、側面１２ａと平行な平面における磁石５１の中心に対して点対称に（側面１２ａと直交する方向から見て正方形の磁石５１の対角線上に）配置されている。各磁極反転機構５９は、磁石５１の内部に埋め込まれた円筒形状の回転式磁石５９ａと、回転式磁石５９ａの周面から磁石５１の外部に引き出されたレバー５９ｂとを有する。回転式磁石５９ａは、側面１２ａと直交する方向の軸を中心として回転可能である。レバー５９ｂを用いて回転式磁石５９ａを回転させると、回転式磁石５９ａの磁界の向きが変化する。回転式磁石５９ａの磁界の向きが磁石５１の磁界の向きと同じ場合、磁石５１の磁力による側面１２ａとの固定強度が最大となり、磁石５１が側面１２ａに強固に固定される。一方、回転式磁石５９ａの磁界の向きが磁石５１の磁界の向きと逆の場合、磁石５１の磁極の向きは、回転式磁石５９ａの磁界の向きが磁石５１の磁界の向きと同じ場合における磁石５１の磁極の向きと逆になる（即ち、磁極の向きが反転する）。この場合、磁石５１の磁力による側面１２ａとの固定強度が最小となり、磁石５１が側面１２ａから離脱し易くなる。このように、各磁極反転機構５９は、磁石５１の磁極の向きを反転させるように構成されている。
【００３７】
なお、取付治具５０の部品のうち、磁石５１及び回転式磁石５９ａ以外の部品は、磁石５１により磁化されることを防ぐため、非磁性体からなる。具体的には、ボルト５３及びコイルばね５４はステンレス鋼からなり、空間形成部材５２及びレバー５９ｂはステンレス鋼又はアルミニウム合金からなる。
【００３８】
側面１２ａに温度センサ１００を取り付ける際には、凹部５２ｘに温度センサ１００を保持させつつ、側面１２ａに磁石５１を磁力により固定する。具体的には、例えば、先ず、凹部５２ｘに温度センサ１００を保持させた状態で、空間形成部材５２を側面１２ａ上に配置する。その後、螺子孔５１ｙに螺合部５３ｔａを螺合させることで磁石５１とボルト５３とを一体にした状態で、空間形成部材５２を覆うように磁石５１を側面１２ａ上に配置し、側面１２ａに磁石５１を磁力により固定する。或いは、先ず、空間形成部材５２の上面５２ａを螺子部５３ｔの端部５３ｔｂに固定し、且つ、螺子孔５１ｙに螺合部５３ｔａを螺合させることで、磁石５１とボルト５３と空間形成部材５２とを一体にする。その後、当該一体物を側面１２ａ上に配置することで、凹部５２ｘに温度センサ１００を保持させると共に、側面１２ａに磁石５１を磁力により固定する。さらに、ボルト５３の締付けを行うことで、空間形成部材５２が側面１２ａに向けて押圧され、凹部５２ｘが側面１２ａによって確実に閉塞され、凹部５２ｘと側面１２ａとで画定される空間に温度センサ１００が確実に保持される。なお、側面１２ａに温度センサ１００を取り付ける作業が行われる間、各磁極反転機構５９の回転式磁石５９ａは、回転式磁石５９ａの磁界の向きが磁石５１の磁界の向きと同じになる位置に保持される。
【００３９】
側面１２ａから温度センサ１００を取り外す際には、各磁極反転機構５９のレバー５９ｂを用いて回転式磁石５９ａを回転させ、回転式磁石５９ａの磁界の向きを磁石５１の磁界の向きと逆にする。これにより、磁石５１が側面１２ａから離脱し易い状態となり、作業者は、側面１２ａから温度センサ１００を容易に取り外すことができる。
【００４０】
以上に述べたように、本実施形態によれば、凹部５２ｘに温度センサ１００を保持させつつ、容器１ｘの側面１２ａにおける磁性体からなる部分に磁石５１を磁力により固定するという構成を採用したことで、側面１２ａにボルト穴を設けたり溶接を行ったりする必要がない。また、粘着テープを用いないため、温度や放射線による取付治具の劣化を抑制することができ、側面１２ａへの温度センサ１００の保持を長期に亘って維持することが可能である。
【００４１】
本実施形態に係る取付治具５０は、磁石５１に対して固定され、凹部５２ｘが形成された空間形成部材５２をさらに備えている。当該構成によれば、磁石５１とは別の部材（空間形成部材５２）に保持空間（凹部５２ｘ）を形成したことで、磁石５１に保持空間を形成した場合に生じ得る側面１２ａに対する磁石５１の固定強度の低下を回避することができる。
【００４２】
本実施形態に係る取付治具５０において、温度センサ１００を保持するための保持空間は、空間形成部材５２における側面１２ａと対向する面に形成された凹部５２ｘである。空間形成部材５２は、側面１２ａと対向する面において凹部５２ｘが形成されていない領域が側面１２ａと接触し、凹部５２ｘと側面１２ａとで画定される空間に温度センサ１００を保持するように構成されている。温度センサ１００を確実に保持するため、凹部５２ｘの寸法を温度センサ１００の寸法よりも若干小さくすることが考えられる。磁石５１に保持空間（凹部５２ｘ）が形成されている場合に、凹部５２ｘの寸法を温度センサ１００の寸法よりも若干小さくすると、磁石５１が側面１２ａから浮き上がり、側面１２ａに対する磁石５１の固定強度が低下し得る。これに対し、磁石５１とは別の空間形成部材５２に凹部５２ｘが形成されていれば、凹部５２ｘの寸法を温度センサ１００の寸法よりも若干小さくしたとしても、磁石５１が側面１２ａから浮き上がることは抑制できる。したがって、上記構成によれば、側面１２ａに対する磁石５１の固定強度の低下を回避しつつ、温度センサ１００を確実に保持することができる。
【００４３】
本実施形態に係る取付治具５０は、磁石５１に螺子孔５１ｙが形成されており、空間形成部材５２を側面１２ａに向けて押圧するボルト５３であって、螺子孔５１ｙに螺合する螺合部５３ｔａと、螺合部５３ｔａよりも側面１２ａの近くにおいて空間形成部材５２における側面１２ａと対向する面とは反対側の面と接触する端部５３ｔｂとを有するボルト５３をさらに備えている。当該構成によれば、ボルト５３によって空間形成部材５２を押圧することで、空間形成部材５２の凹部５２ｘに温度センサ１００をより確実に保持することができる。
【００４４】
本実施形態に係る取付治具５０は、ボルト５３における螺合部５３ｔａと端部５３ｔｂとの間に設けられ、空間形成部材５２を側面１２ａに向けて付勢するコイルばね５４をさらに備えている。当該構成によれば、ボルト５３による押圧力が緩んだ場合でも、コイルばね５４によって空間形成部材５２を付勢することで、空間形成部材５２の凹部５２ｘに温度センサ１００をより確実に保持することができる。
【００４５】
本実施形態に係る取付治具５０において、磁石５１は、側面１２ａと対向する面に窪み５１ｘを有し、空間形成部材５２は、窪み５１ｘの中に配置されている。また、側面１２ａと直交する方向に延在する磁石５１の中心線Ｏに関して、磁石５１における側面１２ａに固定された領域、及び、空間形成部材５２における側面１２ａと接触する領域が、それぞれ対称に配置されている。当該構成によれば、バランスよく力が作用し、側面１２ａに対する磁石５１の固定、及び、空間形成部材５２による温度センサ１００の保持を、共に確実に実現することができる。
【００４６】
本実施形態に係る取付治具５０は、磁石５１の磁極の向きを反転させる磁極反転機構５９をさらに備えている。当該構成によれば、側面１２ａに対する磁石５１の着脱を容易に行うことができる。
【００４７】
続いて、本発明の第２実施形態に係る取付治具２５０について説明する。
【００４８】
取付治具２５０は、図３（ａ），（ｂ）に示すように、磁石２５１、空間形成部材２５２、ボルト２５２、コイルばね２５４、固定部材２５５、及び、第１実施形態の磁極反転機構５９と同様の機構（図示略）を有する。
【００４９】
磁石２５１は、第１実施形態の磁石５１と同様、略直方体形状を有するが、第１実施形態の磁石５１とは異なり、磁石２５１の下面（側面１２ａと対向する面）２５１ｂには窪み５１ｘが形成されていない。磁石２５１の下面２５１ｂは、平坦であり、全領域が、磁力により側面１２ａに固定されている。また、磁石２５１の上面（側面１２ａと対向する面とは反対側の面）２５１ａには、４つのピン穴２５１ｙが止り穴として形成されている。磁石２５１としては、第１実施形態の磁石５１と同様、永久磁石及び電磁石のいずれを用いてもよい。
【００５０】
固定部材２５５は、平板からなり、側面１２ａと直交する方向から見て、磁石２５１と重なる領域と、磁石２５１と重ならない領域（磁石２５１の側方に延出した領域）とを有する。固定部材２５５において磁石２５１と重なる領域には、４つのピン孔２５５ｘが形成されている。各ピン孔２５５ｘは、各ピン穴２５１ｙと対応する位置にあり、固定部材２５５の上面（側面１２ａと対向する面とは反対側の面）２５５ａから下面（側面１２ａと対向する面）２５５ｂに至るまで、固定部材２５５を厚み方向に貫通している。固定部材２５５を磁石２５１の上面２５１ａに配置した状態で、ピン穴２５１ｙ及びピン孔２５５ｘの組合せのそれぞれにピン２５６を挿入することで、固定部材２５５を磁石２５１に対して固定することができる。即ち、固定部材２５５は、本発明に係る「磁石に対して固定された固定部材」の一例である。固定部材２５５において磁石２５１と重ならない領域には、螺子孔２５５ｙが形成されている。螺子孔２５５ｙは、固定部材２５５の上面２５５ａから下面２５５ｂに至るまで、固定部材２５５を厚み方向に貫通している。
【００５１】
空間形成部材２５２は、第１実施形態の空間形成部材５２と略同じ構成であり、直方体形状を有する。空間形成部材２５２の下面（側面１２ａと対向する面）２５２ｂには、温度センサ１００を保持するための凹部２５２ｘが形成されている。空間形成部材２５２の下面２５２ｂは、凹部２５２ｘが形成されていない領域が、側面１２ａと接触している。凹部２５２ｘは、側面１２ａによって閉塞されている。空間形成部材２５２は、凹部２５２ｘと側面１２ａとで画定される空間に温度センサ１００を保持するように構成されている。空間形成部材２５２は、磁石２５１の側方に配置されており、固定部材２５５、ピン２５６及びボルト２５３を介して磁石２５１に対して固定されている。
【００５２】
ボルト２５３は、本発明に係る「押圧部材」の一例であり、空間形成部材２５２を側面１２ａに向けて押圧する。ボルト２５３は、第１実施形態のボルト５３と同じ構成であり、螺子孔２５５ｙに貫挿された円柱状の螺子部２５３ｔを有する。螺子部２５３ｔは、周面全体に螺子溝が形成されており、螺子孔２５５ｙに螺合する螺合部２５３ｔａと、螺合部２５３ｔａよりも側面１２ａの近くにおいて空間形成部材２５２の上面（側面１２ａと対向する面とは反対側の面）２５２ａと接触する端部２５３ｔｂとを有する。
【００５３】
コイルばね２５４は、本発明に係る「付勢部材」の一例であり、ボルト２５３における螺合部２５３ｔａと端部２５３ｔｂとの間に設けられ、空間形成部材２５２を側面１２ａに向けて付勢する。コイルばね２５４は、第１実施形態のコイルばね５４と同じ構成であり、螺子部２５３ｔにおける螺合部２５３ｔａよりも下方の部分の周面に巻回されている。
【００５４】
なお、取付治具２５０の部品のうち、磁石２５１及び回転式磁石５９ａ以外の部品は、磁石２５１により磁化されることを防ぐため、非磁性体からなる。具体的には、ボルト２５３及びコイルばね２５４はステンレス鋼からなり、固定部材２５５、空間形成部材２５２及びレバー５９ｂはステンレス鋼又はアルミニウム合金からなる。
【００５５】
側面１２ａに温度センサ１００を取り付ける際には、凹部２５２ｘに温度センサ１００を保持させつつ、側面１２ａに磁石２５１を磁力により固定する。具体的には、例えば、先ず、凹部２５２ｘに温度センサ１００を保持させた状態で、空間形成部材２５２を側面１２ａ上に配置する。その後、磁石２５１上に固定部材２５５を固定し且つ螺子孔２５５ｙに螺合部２５３ｔａを螺合させることで、磁石２５１と固定部材２５５とボルト２５３とを一体にした状態で、磁石２５１を側面１２ａにおける空間形成部材２５２の側方に配置し、側面１２ａに磁石２５１を磁力により固定する。或いは、先ず、空間形成部材２５２の上面２５２ａを螺子部２５３ｔの端部２５３ｔｂに固定し、磁石２５１上に固定部材２５５を固定し、且つ、螺子孔２５５ｙに螺合部２５３ｔａを螺合させることで、磁石２５１と固定部材２５５とボルト２５３と空間形成部材２５２とを一体にする。その後、当該一体物を側面１２ａ上に配置することで、凹部２５２ｘに温度センサ１００を保持させると共に、側面１２ａに磁石２５１を磁力により固定する。さらに、ボルト２５３の締付けを行うことで、空間形成部材２５２が側面１２ａに向けて押圧され、凹部２５２ｘが側面１２ａによって確実に閉塞され、凹部２５２ｘと側面１２ａとで画定される空間に温度センサ１００が確実に保持される。なお、側面１２ａに温度センサ１００を取り付ける作業が行われる間、磁極反転機構５９の回転式磁石５９ａは、回転式磁石５９ａの磁界の向きが磁石２５１の磁界の向きと同じになる位置に保持される。
【００５６】
側面１２ａから温度センサ１００を取り外す際には、磁極反転機構５９のレバー５９ｂを用いて回転式磁石５９ａを回転させ、回転式磁石５９ａの磁界の向きを磁石２５１の磁界の向きと逆にする。これにより、磁石２５１が側面１２ａから離脱し易い状態となり、作業者は、側面１２ａから温度センサ１００を容易に取り外すことができる。
【００５７】
以上に述べたように、本実施形態によれば、第１実施形態と同様の構成の基づく同様の効果を得ることができる。
【００５８】
続いて、本発明の第３実施形態に係る取付治具３５０について説明する。
【００５９】
取付治具３５０は、図４（ａ），（ｂ）に示すように、磁石３５１、及び、第１実施形態の磁極反転機構５９と同様の機構（図示略）を有する。
【００６０】
磁石３５１は、第１実施形態の磁石５１と同様、略直方体形状を有する。第１実施形態の磁石５１とは異なり、磁石３５１の下面（側面１２ａと対向する面）３５１ｂには、窪み５１ｘが形成されておらず、温度センサ１００を保持するための凹部３５１ｘが形成されている。磁石３５１の下面３５１ｂは、凹部３５１ｘが形成されていない領域が、磁力により側面１２ａに固定されている。磁石３５１の上面（側面１２ａと対向する面とは反対側の面）３５１ａは、平坦であり、ボルトやピンは設けられていない。磁石３５１としては、第１実施形態の磁石５１と同様、永久磁石及び電磁石のいずれを用いてもよい。
【００６１】
凹部３５１ｘの寸法は、温度センサ１００を確実に保持するため、温度センサ１００の寸法よりも若干小さくなっている。
【００６２】
側面１２ａに温度センサ１００を取り付ける際には、凹部３５１ｘに温度センサ１００を保持させつつ、側面１２ａに磁石３５１を磁力により固定する。これにより、凹部３５１ｘが側面１２ａによって閉塞され、凹部３５１ｘと側面１２ａとで画定される空間に温度センサ１００が保持される。なお、側面１２ａに温度センサ１００を取り付ける作業が行われる間、磁極反転機構５９の回転式磁石５９ａは、回転式磁石５９ａの磁界の向きが磁石３５１の磁界の向きと同じになる位置に保持される。
【００６３】
側面１２ａから温度センサ１００を取り外す際には、磁極反転機構５９のレバー５９ｂを用いて回転式磁石５９ａを回転させ、回転式磁石５９ａの磁界の向きを磁石３５１の磁界の向きと逆にする。これにより、磁石３５１が側面１２ａから離脱し易い状態となり、作業者は、側面１２ａから温度センサ１００を容易に取り外すことができる。
【００６４】
以上に述べたように、本実施形態によれば、第１実施形態と同様の構成の基づく同様の効果に加え、以下のような効果を得ることができる。即ち、本実施形態では、温度センサ１００を保持するための保持空間が、磁石３５１における側面２ａと対向する面に形成された凹部３５１ｘである。当該構成によれば、磁石３５１に保持空間を形成したことで、保持空間が形成された空間形成部材を別途設ける必要がなく、構成を簡素化することができる。
【００６５】
続いて、本発明の第４実施形態に係る取付治具４５０について説明する。
【００６６】
取付治具４５０は、図５（ａ），（ｂ）に示すように、磁石４５１、空間形成部材４５２ｐ，４５２ｑ、及び、第１実施形態の磁極反転機構５９と同様の機構（図示略）を有する。
【００６７】
磁石４５１は、第１実施形態の磁石５１と同様、略直方体形状を有するが、第１実施形態の磁石５１とは異なり、磁石４５１の下面（側面１２ａと対向する面）４５１ｂには窪み５１ｘが形成されていない。磁石４５１の下面４５１ｂは、平坦であり、全領域が、磁力により側面１２ａに固定されている。また、磁石４５１の上面（側面１２ａと対向する面とは反対側の面）４５１ａには、２つのピン穴４５１ｙが止り穴として形成されている。磁石４５１としては、第１実施形態の磁石５１と同様、永久磁石及び電磁石のいずれを用いてもよい。
【００６８】
空間形成部材４５２ｐは、下面（側面１２ａと対向する面）４５２ｐｂが磁石４５１の上面４５１ａと接触するように配置されており、凹部４５２ｐｘが設けられた中央部と、中央部の両側において厚みが小さい２つの側方部とを有する。空間形成部材４５２ｐの各側方部には、ピン孔４５２ｐｙが形成されている。各ピン孔４５２ｐｙは、各ピン穴４５１ｙと対応する位置にあり、空間形成部材４５２ｐの側方部を厚み方向に貫通している。空間形成部材４５２ｐを磁石４５１の上面４５１ａに配置した状態で、ピン穴４５１ｙ及びピン孔４５２ｐｙの組合せのそれぞれにピン４５６を挿入することで、空間形成部材４５２ｐを磁石４５１に対して固定することができる。空間形成部材４５２ｐの中央部において、凹部４５２ｐｘは上面（側面１２ａと対向する面とは反対側の面）４５２ｐａに形成されている。凹部４５２ｐｘは、ケーブル保護管２００を保持するための保持空間の一部を構成する。ケーブル保護管２００は、各種センサに接続されたケーブルを収容する管であり、本発明に係る「被取付部材」の別の一例である。空間形成部材４５２ｐの中央部の上面４５２ｐａにおいて、凹部４５２ｐｘの両側には、２つのピン孔４５２ｐｚが形成されている。
【００６９】
空間形成部材４５２ｑは、下面（側面１２ａと対向する面）４５２ｑｂが空間形成部材４５２ｐの上面４５２ｐａと接触するように配置されており、凹部４５２ｑｘが設けられた中央部と、中央部の両側において厚みが小さい２つの側方部とを有する。空間形成部材４５２ｑの各側方部には、ピン孔４５２ｑｚが形成されている。各ピン孔４５２ｑｚは、各ピン穴４５２ｐｚと対応する位置にあり、空間形成部材４５２ｑの側方部を厚み方向に貫通している。空間形成部材４５２ｑを空間形成部材４５２ｐの上面４５２ｐａに配置した状態で、ピン穴４５２ｐｚ及びピン孔４５２ｑｚの組合せのそれぞれにピン４５６を挿入することで、空間形成部材４５２ｑを空間形成部材４５２ｐに対して固定することができる。空間形成部材４５２ｑの中央部は、上面（側面１２ａと対向する面とは反対側の面）４５２ｑａが上方に凸となるように湾曲した形状を有し、下面４５２ｑｂに凹部４５２ｑｘが形成されている。凹部４５２ｑｘは、ケーブル保護管２００を保持するための保持空間の一部を構成する。凹部４５２ｑｘと凹部４５２ｐｘとが組み合わさることで、円柱状の空間が形成され、当該空間にケーブル保護管２００が保持される。
【００７０】
このように、空間形成部材（２つの空間形成部材４５２ｐ，４５２ｑからなる一体物）は、磁石４５１の上面（側面１２ａと対向する面とは反対側の面）に配置されている。また、温度センサ１００を保持するための保持空間は、空間形成部材（２つの空間形成部材４５２ｐ，４５２ｑからなる一体物）の内部に形成された空洞（凹部４５２ｑｘと凹部４５２ｐｘとが組み合わさることで形成される円柱状の空間）である。
【００７１】
なお、取付治具４５０の部品のうち、磁石４５１及び回転式磁石５９ａ以外の部品は、磁石４５１により磁化されることを防ぐため、非磁性体からなる。具体的には、空間形成部材４５２ｐ，４５２ｑはステンレス鋼又はアルミニウム合金からなる。
【００７２】
側面１２ａにケーブル保護管２００を取り付ける際には、凹部４５２ｐｘ，４５２ｑｘにケーブル保護管２００を保持させつつ、側面１２ａに磁石４５１を磁力により固定する。具体的には、例えば、先ず、凹部４５２ｘ，４５２ｑｘの組み合わせからなる円柱状の保持空間にケーブル保護管２００を保持させた状態で、磁石４５１及び空間形成部材４５２ｐ，４５２ｑをピン４５６で互いに固定して一体にする。その後、当該一体物を側面１２ａ上に配置し、側面１２ａに磁石４５１を磁力により固定する。或いは、先ず、磁石４５１を側面１２ａ上に配置し、側面１２ａに磁石４５１を磁力により固定する。その後、磁石４５１上に空間形成部材４５２ｐをピン４５６で固定し、凹部４５２ｐｘにケーブル保護管２００を配置し、さらにその後、空間形成部材４５２ｐ上に空間形成部材４５２ｑをピン４５６で固定する。なお、側面１２ａにケーブル保護管２００を取り付ける作業が行われる間、磁極反転機構５９の回転式磁石５９ａは、回転式磁石５９ａの磁界の向きが磁石４５１の磁界の向きと同じになる位置に保持される。
【００７３】
側面１２ａからケーブル保護管２００を取り外す際には、磁極反転機構５９のレバー５９ｂを用いて回転式磁石５９ａを回転させ、回転式磁石５９ａの磁界の向きを磁石４５１の磁界の向きと逆にする。これにより、磁石４５１が側面１２ａから離脱し易い状態となり、作業者は、側面１２ａからケーブル保護管２００を容易に取り外すことができる。
【００７４】
以上に述べたように、本実施形態によれば、第１実施形態と同様の構成に基づく同様の効果を得ることができる。
【００７５】
以上、本発明の好適な実施の形態について説明したが、本発明は上述の実施形態に限られるものではなく、例えば以下のように、特許請求の範囲に記載した限りにおいて様々な設計変更が可能なものである。
【００７６】
・放射性物質収納容器に収納される放射性物質は、使用済燃料に限定されず、人為的又は自然に生成された任意の放射性物質であってよい。
・放射性物質収納容器は、円筒形状に限定されず、例えば直方体形状であってもよい。
・放射性物質収納容器において被取付部材が取り付けられる面（表面）は、側面に限定されず、底面、上面等であってもよい。
・磁性体は、炭素鋼に限定されず、磁石により吸引可能な任意の材料（例えば、鉄、ニッケル、コバルト、クロム、その他合金等）であってよい。
・放射性物質収納容器の表面において磁石が固定される部分以外の部分が、非磁性体からなってもよい。
・被取付部材は、上述の実施形態で例示したものに限定されず、熱電対以外のものからなる温度センサ、温度センサ以外のセンサ（例えば、圧力センサ）、各種センサに接続されたケーブル等、放射性物質収納容器の表面への取り付けが必要な任意の部材であってよい。
・磁石や保持空間の形状やサイズは、被取付部材の形態に応じて任意に変更可能である。
・保持空間は、磁石及び磁石以外の部材のいずれに形成されてもよい。また、保持空間は、１又は複数の部材に亘って設けられてよい。
・空間形成部材は、任意の材料から構成されてよく、磁石であってもよい。
・押圧部材及び／又は付勢部材を省略してもよい。
・磁極反転機構は、一対で設けることに限定されず、１つだけ設けてもよい。また、磁極反転機構は、磁石の磁極の向きを反転させるように構成される限りは、上述の実施形態のような構成に限定されず、任意の機構を採用してよい。磁極反転機構を省略してもよい。
・取付治具に含まれる磁石以外の部品は、任意の材料からなってよい。
【符号の説明】
【００７７】
１  放射性物質収納容器ユニット
１ｘ  放射性物質収納容器
１２ａ  側面（表面）
１３ｘ  使用済燃料（放射性物質）
５０；２５０；３５０；４５０  取付治具
５１；２５１；３５１；４５１  磁石
５１ｘ  窪み
５１ｙ；２５５ｙ  螺子孔
５２；２５２；４５２ｐ，４５２ｑ  空間形成部材
５２ｘ；２５２ｘ；３５１ｘ；４５２ｐｘ，４５２ｑｘ  凹部（保持空間）
５３；２５３  ボルト（押圧部材）
５３ｔａ；２５３ｔａ  螺合部
５３ｔｂ；２５３ｔｂ  端部
５４；２５４  コイルばね（付勢部材）
２５５  固定部材
５９  磁極反転機構
１００  温度センサ（被取付部材）
２００  ケーブル保護管（被取付部材）
Ｏ  磁石の中心線
【図１】
0006537380.tif 000002
【図２】
0006537380.tif 000003
【図３】
0006537380.tif 000004
【図４】
0006537380.tif 000005
【図５】
0006537380.tif 000006